(57)【特許請求の範囲】
【請求項１】
充電対象となる電子機器（５０）が載置される基台（２）と、
この基台（２）に突出状に設けられ、電子機器（５０）の電源端子（５３）が接触する充電用端子（３）と、
電子機器（５０）と係脱自在に係止する係止突起（２４）が形成されると共に、電子機器（５０）に係止する方向への弾性が付与されたロック部材（４）と、
前記充電用端子（３）と近接し、且つ充電用端子（３）よりも電子機器（５０）の載置側に位置するように基台（２）に設けられており、電子機器（５０）の載置方向に沿ってスライド可能となっているスライダ（５）と、
スライダ（５）に形成され、前記電子機器（５０）の載置方向からロック部材（４）の係合受け部（３３）に係合する係合突起（２５）と、
このスライダ（５）を電子機器（５０）の載置方向と逆方向に付勢するばね（７）とを備え、
ロック部材（４）の係合受け部（３３）は、係止突起（２４）の電子機器（５０）との当接によって係合突起（２５）との係合位置から待避することを特徴とする充電用置き台。
【請求項２】
スライダ（５）は、スライダ（５）に設けられたガイドストッパ（３０）が基台（２）のガイドスリット（１２）に係合して電子機器（５０）の載置方向に沿ってスライド可能となっており、ガイドストッパ（３０）がガイドスリット（１２）の内面に当接して、ばね（７）の付勢によるスライダ（５）のスライドが規制されていることを特徴とする請求項１記載の充電用置き台。
【請求項３】
スライダ（５）と電子機器（５０）の対向部位に設けられ、相互に係合して充電用端子（３）と電源端子（５３）とが接触するように電子機器（５０）をスライダ（５）上で案内するガイド部材（８）を設けたことを特徴とする請求項１または２記載の充電用置き台。
【発明の詳細な説明】
【０００１】
【発明の属する技術分野】
本発明は、携帯電話等の電子機器のバッテリーに充電を行う充電用置き台に関する。
【０００２】
【従来の技術】
携帯電話、ＰＨＳ、ポケットベル、電子手帳等の携帯用の電子機器は、２次電池からなるバッテリーを内蔵しており、蓄電量が減少した場合は、充電用置き台から充電が行われる。
【０００３】
図１４は従来より使用されている充電用置き台１００を示し、電子機器２００が載置される基台１１０に傾斜状の支持面１２０が形成され、電子機器２００はこの支持面１２０に沿って、傾斜状に支持されて充電が行われる。基台１１０には、充電を行うための充電用端子１３０と、電子機器２００を充電位置に案内するガイド突起１４０と、電子機器２００を充電位置で固定するためのロック部材１５０とが設けられている。
【０００４】
電子機器２００の底面が当接する基台１１０の当接面１６０からは、充電用端子１３０の接触部１３０ａが突出しており、この接触部が充電位置にある電子機器２００の底面の電源端子２１０に弾性接触する。充電用端子１３０は、この接触部１３０ａからの連設部分が基台１１０の内部に導入されており、その基端部分の接続部１３０ｂが基台１１０に挿入されたプリント配線基板１７０のパターンに接続されている。
【０００５】
ガイド突起１４０は、充電用端子１３０の接触部１３０ａに近接するように、当接面１６０から突出している。このガイド突起１４０は、電子機器２００の底面に形成されているガイド孔２２０と対応するものであり、ガイド突起１４０がガイド孔２２０に挿入されて係合することにより、電源端子２１０と充電用端子１３０が接触するように電子機器２００を案内する。
【０００６】
ロック部材１５０は、当接面１６０と支持面１２０との間で基台１１０と一体に起立するように形成されており、その上部には電子機器２００の側面下部に形成された係止孔２３０に係止される係止突起１５０ａが形成されている。このロック部材１５０は、支持面１２０下部の基台１１０からスリット１８０を介して立ち上がることによって弾性が付与されており、係止突起１５０ａが電子機器２００の係止孔２３０弾性的に係止されることによって、電子機器２００を動かないように固定している。
【０００７】
このような充電用置き台１００に対し、電子機器２００は上方から下降されてセットされる。電子機器２００はそのガイド孔２２０に、基台１１０のガイド突起１４０が係合することにより、充電用端子１６０の接触部１６０ａが電子機器２００の電源端子２１０と接触すると共に、ロック部材１５０の係止突起１５０ａが電子機器２００の係止孔２３０に係止する。これにより、電子機器２００は支持面１２０に沿って支持された基台１１０への載置状態で、バッテリーに対して充電が行われる。
【０００８】
【発明が解決しようとする課題】
しかしながら、従来の充電用置き台では、電子機器２００が傾いたりして正規の位置にセットされない場合に、充電用端子１３０の接触部１３０ａと、電源端子２１０とが低い接触圧で接触することがある。低い接触圧で両者が接触すると、接触部分に数ＭΩの接触抵抗が生じ、電子機器の２次電池側から電流が流れて放電する。従って、電子機器２００のバッテリーを知らずに消費してしまうという問題があった。
【０００９】
又、基台１１０から充電用端子１３０の接触部１３０ａが露出する構成であるために、異物が当接したり、セット時の姿勢が悪い電子機器２００のケースが直接当接しやすい。これらの当接によって、充電用端子１３０が損傷し易い問題も有している。
【００１０】
本発明は、このような従来の問題点を考慮してなされたものであり、電子機器が正規の位置にセットされない場合の充電用端子と電源端子との接触を防止すると共に、異物や装着姿勢の悪い電子機器の充電用端子への当接を防止することができる構造の充電用置き台を提供することを目的とする。
【００１１】
【課題を解決するための手段】
上記目的を達成するため、請求項１の充電用置き台は、充電対象となる電子機器が載置される基台と、この基台に突出状に設けられ、電子機器の電源端子が接触する充電用端子と、電子機器と係脱自在に係止する係止突起が形成されると共に、電子機器に係止する方向への弾性が付与されたロック部材と、前記充電用端子と近接し、且つ充電用端子よりも電子機器の載置側に位置するように基台に設けられており、電子機器の載置方向に沿ってスライド可能となっているスライダと、スライダに形成され、前記電子機器の載置方向からロック部材の係合受け部に係合する係合突起と、このスライダを電子機器の載置方向と逆方向に付勢するばねとを備え、
ロック部材の係合受け部は、係止突起の電子機器との当接によって係合突起との係合位置から待避することを特徴とする。
【００１２】
この構造では、係止突起が電子機器と当接しないときに、スライダの係合突起がロック部材の係合受け部に係合して、スライダのスライドが充電用端子よりも電子機器の載置側の位置で規制される。このため、電子機器の載置側からの異物は、スライダによって充電用端子への接近が阻止され、異物が充電用端子に当接することを防止できる。
【００１３】
この充電用置き台に対して正しい姿勢で電子機器をセットすると、電子機器がロック部材の係止突起に当接し、この当接によってロック部材が撓み、係合受け部は、スライダの係合突起との係合位置から待避する。従って、スライダは電子機器の載置方向に沿ってスライド可能となり、電子機器を押し込みながら充電用端子を撓ませて、電子機器の電源端子へ接触させることができる。
【００１４】
電子機器を押し込みによって充電用端子が撓んだ位置で、ロック部材の係止突起が電子機器に係止し、その固定が行われるので、充電用端子と電源端子は、高い接触圧で接触し、電子機器のバッテリーに充電が行われる。
【００１５】
この電子機器を不正な姿勢で装着しようとすると、係止突起に電子機器が当接することがなく、下方にスライドしようとするスライダは、その係合突起が係合受け部に当接してスライドが規制される。このため、電子機器側に位置するスライダによって、充電用端子と接触することはなく、電子機器のバッテリーが放電することがない。
【００１６】
請求項２の充電用置き台は、請求項１の充電用置き台であって、スライダは、スライダに設けられたガイドストッパが基台のガイドスリットに係合して電子機器の載置方向に沿ってスライド可能となっており、ガイドストッパがガイドスリットの内面に当接して、ばねの付勢によるスライダのスライドが規制されていることを特徴とする。
【００１７】
ガイドストッパとガイドスリットが係合して、スライダは、電子機器の載置方向に沿って安定してスライドする。このガイドストッパは、外力が加わらない電子機器のセット前に、ばねで付勢されてガイドスリットの内面に当接し、電子機器の反載置方向へのスライドを規制する。従って、スライダは、ばねの付勢によって基台から外れることがなく、係合突起を係合受け部と対抗する位置に待機させることができる。
【００１８】
請求項３の充電用置き台は、請求項１または２の充電用置き台であって、スライダと電子機器の対向部位に設けられ、相互に係合して充電用端子と電源端子とが接触するように電子機器をスライダ上で案内するガイド部材を設けたことを特徴とする。
【００１９】
スライダを待避させ、電子機器をセットする際に、スライダ及び電子機器に設けられたガイド部材が相互に係合して、電子機器を案内し、電源端子を確実に充電端子へ接触させることができる。
【００２０】
【発明の実施の形態】
図１乃至図６は、本発明の充電用置き台の一実施形態の構成を示す。この充電用置き台１は、基台２と、充電用端子３と、ロック部材４と、スライダ５と、ばね７と、ガイド部材８とを備えている。
【００２１】
基台２は、一側（右側）に起立ブロック９が立ち上がり状に形成されると共に、起立部９よりも低くなった載置用ブロック１０が他側に形成されており、全体が絶縁性樹脂によって形成されている。
【００２２】
起立ブロック９における載置用ブロック１０側には、図１に示すように、幅広で且つ載置用ブロック１０方向に傾斜する支持面１１が形成されており、この支持面１１に電子機器５０の側面５１が傾斜状に支持される。又、支持面１１の中央部分にはガイドスリット１２が、下方の両側には、補助スリット１３、１３がそれぞれ支持面１１の上下方向に穿設されていて（図３参照）、後述するスライダ５を支持面１１に沿って上下方向に案内している。なお、支持面１１の両側には、図４に示すように載置用ブロック１０方向に隆起する側面支持壁部１４が形成されており、この側面支持壁部１４によって電子機器５０の横倒れが防止されている。
【００２３】
載置用ブロック１０には、電子機器５０の底面５２に臨む当接面１５が、その上面に形成されている。当接面１５は起立ブロック９の支持面１１と直交する角度で傾斜しており、電子機器５０の底面５２が当接状態で載置され、この載置状態で電子機器５０への充電が行われる。載置用ブロック１０における起立ブロック９と反対側の端部（図１において左端部）は、当接面１５よりも段状に高くなった脱落防止壁部１６となっており、この脱落防止壁部１６によって電子機器５０の底面５２部分が基台２から脱落することが防止されている。
【００２４】
充電用端子３は、図４に示すように、２本で一対となっており、基台２の載置用ブロック１０に配置されている。各充電用端子３は、載置用ブロック１０の当接面１５から上方に突出する湾曲状の接触部１７を有しており、この接触部１７が電子機器５０の電源端子５３と接触して電子機器５０への充電が行われる。
【００２５】
接触部１７には連設部１８が斜め方向に連設されると共に、この連接部１８の先端が折り返されることにより接続部１９が連設されている。これらの連接部１８及び接続部１９は、載置用ブロック１０の内部に導入されており、接続部１９は、基台２の内部に挿入されたプリント配線基板２０に接続されている。
【００２６】
この接続は、接続部１９から垂下した脚部１９ａがプリント配線基板２０に形成されたスルーホールを貫通し、プリント配線基板２０のパターンと半田付けされることによってなされている。プリント配線基板２０は起立ブロック９内に延びており、その延設端部にコネクタ２１が同様な構造で接続されている。コネクタ２１は、ＡＣアダプタ（図示省略）を介して商用電源に接続され、これにより充電用端子３間に直流電圧が印加される。
【００２７】
ロック部材４は、起立ブロック９における載置用ブロック１０側に、上方に向けて突出状に一体に形成されている。このロック部材４は板状となっており、起立ブロック９から垂直状に起立する立ち上がり部２３と、立ち上がり部２３の上端に形成された係止突起２４とを備えている。立ち上がり部２３と起立ブロック９との間には、スリット２２が形成されており、ロック部材４の全体に、弾性が付与されている。従ってロック部材４は、撓んでも垂直に起立する元の状態に復元することができる。
【００２８】
係止突起２４は、この立ち上がり部２３の上端から載置用ブロック１０方向に突出している。この係止突起２４は図３及び図４に示すように、立ち上がり部２３の板幅方向に間隔を有した一対となっており、それぞれが、スライダ５を挿通して、電子機器５０の装着経路に臨んでいる。電子機器５０が装着されると、その係止孔５４に係止し、電子機器５０を抜け止め固定する。又、一対の係止突起２４の間は、平面上の係合受け部３３となっており、この係合受け部３３に後述するスライダ５の係合突起２５が上方、すなわち電子機器５０の載置方向から当接し、この当接によって両者が係合する。
【００２９】
スライダ５は、図４及び図５に示すように、基台２の支持面１１に設けられ同面１１に沿ってスライドするスライド部２６と、スライド部２６の下部に連設され、略９０°の角度で載置用ブロック１０方向に屈曲するカバー部２７とが一体的に形成されることにより構成されている。
【００３０】
スライド部２６は、基台２の支持面１１に凹み状に形成されたスライド用凹部２８内に挿入されており、このスライド用凹部２８内を上下方向、すなわち、基台２への電子機器５０の載置方向にスライドする。このスライド部２６の背面には、ガイド爪２９及びガイドストッパ３０が突出している。ガイド爪２９、２９は、前述の支持面１１に形成されている補助スリット１３、１３に対応する位置に左右で一対が設けられ、補助スリット１３、１３を貫通しながらスライドする。このガイド爪２９、２９によって、スライダ５が安定してスライドする。
【００３１】
ガイドストッパ３０は、支持面１１に形成されたガイドスリット１２と対応する位置に設けられ、ガイドスリット１２を貫通して、同様にスライドする。従って、このガイドストッパ３０によっても、スライダ５のスライドが安定するが、このガイドストッパ３０は、図１のように、その上限位置でガイドスリット１２の内面に当接して停止する。電子機器５０を装着する前の状態では、後述するばね７によってスライダ５が上方に付勢され、このガイドストッパ３０の当接位置でスライダ５が待機するようになっている。
【００３２】
ガイド爪２９とガイドストッパ３０は、図４に示すようにそれぞれ二股の楔状に形成されていて、対応部位にある補助スリット１３とガイドスリット１２に挿通させることによって抜け止めされる。従って、スライド部２６をスライド用凹部２８に押しつけるだけで、スライダ５を基台２に取り付けることができる。
【００３３】
スライダ５のカバー部２７は、スライド部２６に直交することにより、載置用ブロック１０から突出する充電用端子３の接触部１７に近接した位置まで延びている。スライド部２６とこのカバー部２７との連結部の中央は、Ｌ字状に切り欠かれた窓孔６が形成され、ロック部材４を挿通させるようにしている。
【００３４】
かかるカバー部２７の上面には、ガイド突起３１が形成されている。このガイド突起３１は電子機器５０に形成されているガイド孔５５と共に、ガイド部材８を構成するものであり、ガイド突起３１がガイド孔５５に挿入されて係合することによって、電源端子５３と充電用端子３とが接触するように電子機器５０を案内する。
【００３５】
このようなカバー部２７は、スライド部２６のスライドと一体的にスライドする。そして、斜め下方向、すなわち電子機器５０の載置方向に沿って、スライドすることにより、図２に示すように、カバー部２７が載置用ブロック１０の当接面１５と同一面となる。これにより、カバー部２７は、充電用端子３の接触部１７への妨げとなることがなく、充電用端子３と電源端子５３との接触を行うことができる。なお、このカバー部２７の下方向への移動を確保するため、載置用ブロック１０には、図１及び図２に示すように、カバー部２７が進入可能な凹み部３２が形成されている。
【００３６】
スライダ５の上述した係合突起２５は、このようなカバー部２７の窓孔６寄りの端部に立設されている。この係合突起２５は、その上端がロック部材４の係合受け部３３方向に突出しており、図１と図３に示すように、スライダ５が上述のガイドストッパ３０の当接位置にあるときには、一対の係止突起２４内に進入し、係合突起２５と係合受け部３３が、わずかな間隙をおいて離間するようになっている。従って、この状態でスライダ５が下方へスライドしようとすると、係合突起２５は係合受け部３３に当接して係合し、スライダ５の下方向、すなわち電子機器５０の載置方向へのスライドが規制される。
【００３７】
カバー部２７は、この規制された位置で、充電用端子３の接触部１７の斜め上方、すなわち電子機器５０の載置側に位置している。このように、充電用端子３の接触部１７に近接し、且つ、電子機器５０の載置側にカバー部２７が位置させることにより、電子機器５０の載置側から異物や電子機器５０が接触部１７に接近することを防止でき、また、異物や電子機器５０が接触部１７に当接することがなく、これらの当接による充電用端子３の損傷を防止することができる。
【００３８】
ばね７は、図１に示すように、スライダ５のカバー部２７下面と、載置用ブロック１０との間に挿入されている。これにより、ばね７はスライダ５を上方に、すなわち電子機器５０の載置方向と逆方向にスライドするように付勢する復帰ばねとして機能している。
【００３９】
図７乃至図９は、この実施形態に使用される電子機器５０を示す。この電子機器５０は携帯電話、ＰＨＳ等の携帯用通信機となっており、その底面５２には、充電用置き台１の充電用端子３が接触する２極の電源用端子５３が配置されると共に、ガイド突起３１と共にガイド部材８を構成するためのガイド孔５５が形成されている。又、側面（正面）には、充電用置き台１の係止突起２４が係止する係止孔５４が形成されている。この係止孔５４は、電子機器５０の下部を窪ませた凹み部５６の奥側に形成されるものである。
【００４０】
次に、この実施形態の動作を図１０乃至図１３を参照して説明する。図１０は、電子機器５０が載置される前の状態であり、スライダ５は、ばね７の作用でガイドストッパ３０がガイドスリット１２の上縁に当接した位置で停止している。この停止位置で、係合突起２５とロック部材４の係合受け部３３がわずかな間隙をおいて対抗している。この状態で、スライダ５のカバー部２７は、充電用端子３の接触部１７の近接部分で且つ、接触部１７の上方の位置にある。
【００４１】
図１１は、電子機器５０を誤った姿勢で下降させた状態を示し、電子機器５０の底面５２がスライダ５のカバー部２７に当接するが、係止突起２４には当接しない。このため係合突起２５は、係合受け部３３に当接して両者が係合する。従って、スライダ５の下方への移動は規制され、充電用端子３と電源端子５３が接触することはない。これにより、誤姿勢で電子機器５０を載置したときに、充電用端子３と電源端子５３とが知らずに軽い接触圧で接触することはなくなり、電子機器５０側からの放電を防止することができる。同様に、他の異物が充電用端子３に当接しようとしても、下方への移動が規制されたスライダ５によって、カバーされているので、これらの異物が接触してショーとしたり、充電用端子３が破損することがない。
【００４２】
図１２は、図１０に示す状態から電子機器５０を正しい姿勢で装着させた状態を示し、この装着によって電子機器５０の凹み部５６のコーナ部がロック部材４の係止突起２４に当接する。この当接によりロック部材４全体が撓み、この撓みによって係合受け部３３は、係合突起２５との係合位置から待避する。従って、スライダ５が下方へスライド自在となり、ばね７の弾力に抗してスライダ５を押し込むことができる。
【００４３】
電子機器５０を更に押し込むと、図１３で示すように、ガイド突起３１とガイド孔５５との係合によって電子機器５０が案内されて、充電用端子３と電源端子５３とが接触する。これと共に、ロック部材４の係止突起２４が電子機器５０の係止孔５４に係止して、電子機器５０が固定され、この状態で充電が行われる。電子機器５０は、係止突起２４によって抜け止め固定されるので、充電用端子３と電源端子５３は、充分高い接触圧で接触し、電子機器５０に対する充電が行われる。
【００４４】
図１３に示す装着状態から、電子機器５０は、図中矢印の方向に示すように、電子機器５０を回転させても良く、上方に引っ張り上げても取り外すことができる。すなわち、いずれの方向に電子機器５０を移動させても、係止突起２４と係止孔５４との係止が解除され、電子機器５０を抜き出すことができる。
【００４５】
電子機器５０を抜き出すと、スライダ５は、ばね７の弾性によって上方にスライドして、ガイドストッパ３０がガイドスリット１２の内面に当接した位置に復帰する。ロック部材４は、当接していた電子機器５０が抜き出させるので、自らの弾性によって復帰し、係合受け部３３は、係合突起２５と対抗する位置に復帰する。
【００４６】
以上のように、この実施形態では、電子機器５０が誤って姿勢で載置されたときに、充電用端子３と電源端子５３とが軽い接触圧で接触することを防止できるため、軽い接触に起因した電子機器の放電を防止することができる。又、不使用時には、充電用端子３に異物や電子機器が当接することを防止できるため、充電用端子３の損傷を防止することができる。
【００４７】
【発明の効果】
本発明によれば、スライダの係合突起がロック部材の係合受け部に係合することによって、スライダが充電用端子よりも電子機器の載置側に位置に保持され、電子機器や異物の充電用端子への接近が阻止され、これらの当接による充電用端子の損傷を防止できる。
【００４８】
又、電子機器のセットが正しく行われない場合、ロック部材の係止突起に電子機器が確実に当接することがなく、電子機器を装着しようとしたときに係合突起と係合受け部が係合する。このため、スライダがスライドすることがなく、電子機器の電源端子と充電用端子とが軽く接触することがなく、電子機器からの放電を防止できる。
【００４９】
又、充電時の電子機器の抜け止めを行う係止突起によって、電子機器の装着姿勢を判別するので、装着姿勢を判別する別の判別機構を設けず、部品点数を増加させずに上記充電用端子の損傷や電子機器の放電を防止できる。
【００５０】
【図面の簡単な説明】
【図１】本発明の一実施形態の充電用置き台１の中央縦断面図である。
【図２】図１のスライダ５が押し下げられた状態を示す断面図である。
【図３】充電用置き台１の支持面１１に沿った断面図である。
【図４】図２のＡ−Ａ線断面図である。
【図５】図４のＢ−Ｂ線断面図である。
【図６】充電用端子３に沿って切断した縦断面図である。
【図７】電子機器５０の正面図である。
【図８】電子機器５０の側面図である。
【図９】電子機器５０の底面図である。
【図１０】電子機器５０装着前の断面図である。
【図１１】不正な姿勢で電子機器５０を装着しようとした状態を示す縦断面図である。
【図１２】適正な姿勢で電子機器５０を装着している段階を示す縦断面図である。
【図１３】充電状態を示す縦断面図である。
【図１４】従来の充電用置き台１００を示す縦断面図である。
【符号の説明】
１    充電用置き台
２    基台
３    充電用端子
４    ロック部材
５    スライダ
７    ばね
８    ガイド部材
１２  ガイドスリット
２４  係止突起
２５  係合突起
３０  ガイドストッパ
３３  係合受け部
５０  電子機器
５３  電源端子
【図１】
0003731836.tif 000002
【図２】
0003731836.tif 000003
【図３】
0003731836.tif 000004
【図４】
0003731836.tif 000005
【図５】
0003731836.tif 000006
【図６】
0003731836.tif 000007
【図７】
0003731836.tif 000008
【図８】
0003731836.tif 000009
【図９】
0003731836.tif 000010
【図１０】
0003731836.tif 000011
【図１１】
0003731836.tif 000012
【図１２】
0003731836.tif 000013
【図１３】
0003731836.tif 000014
【図１４】
0003731836.tif 000015